(57)【特許請求の範囲】
【請求項１】
外筒と該外筒内に摺動回転自由に嵌挿された内筒とを、任意の相対回転位置で摩擦力で制動する回転制動装置において、
前記内筒を外筒に嵌挿して位置決めした状態で、外筒の端面にリング状摺動部材を重合し、該摺動部材との間に弾性部材を介してリング状蓋部材を重合し、該蓋部材を内筒の端部にネジ手段によって前記弾性部材を圧縮させつつねじ込み、かつ前記摺動部材を前記外筒の端面との間で摺動自在に構成したことを特徴とする回転制動装置。
【請求項２】
前記弾性部材は、Ｏリングであることを特徴とする請求項１に記載の回転制動装置。
【請求項３】
前記弾性部材は、コイルスプリングであることを特徴とする請求項１に記載の回転制動装置。
【請求項４】
前記ネジ手段は、前記蓋部材を貫通するおネジと、内筒端部に形成されためネジとの複数組で構成されることを特徴とする請求項１に記載の回転制動装置。
【請求項５】
前記ネジ手段は、前記蓋部材及び内筒の内外周面に形成されたおネジとめネジとで構成されることを特徴とする請求項１に記載の回転制動装置。
【請求項６】
外筒及び内筒の少なくとも一方に、光学系が介装されていることを特徴とする請求項１〜請求項５のいずれか１つに記載の回転制動装置。
【請求項７】
外筒及び内筒は、カメラ本体に装着されるビューファインダの筐体と、該筐体に回転自由に装着されたアイピースであることを特徴とする請求項６に記載の回転制動装置。
【発明の詳細な説明】
【０００１】
【発明の属する技術分野】
本発明は、業務用ハンディカメラに装着されるビューファインダ（以下ＶＦという) のアイピースを任意の位置に回転させて制動する機構等に適用される回転制動装置に関する。
【０００２】
【従来の技術】
業務用ハンディカメラでは、カメラを肩に担いだ状態でＶＦを覗き込んで撮影画像をモニターしている。ここで、カメラの撮影方向を上下させる場合にカメラだけを上下させてＶＦを覗けるように、90度に屈曲されたアイピースを、筐体に対して回転自由に装着してあり、任意の回転位置で摩擦力により制動できるようになっている。
【０００３】
従来の前記回転制動機構は、例えば図５に示すように、回転側であるアイピースの端面に板バネを固定し、該板バネの両端部でカメラ本体に装着される固定側の筐体を弾性力によってアイピースに付勢して制動力を得る構造としている。
【０００４】
【発明が解決しようとする課題】
しかしながら、このような従来の回転制動機構では、板バネによる制動をかけるため、回転側（アイピース) と固定側（筐体) の板バネ取付面に段差を設ける必要があるが、この段差の大きさにより制動力が変わるため、制動力を一定の目標値に設定するのに精密な機械加工を必要としたり、また、図示のようにバラツキ調整用のスペーサを介装しているが、該スペーサの厚さの微妙な調整が必要である。これは、調整工数又は部品単価の上昇をもたらす。
【０００５】
また、経年変化で摺動部分の磨耗やバネのへたり等によって制動力が落ちてきたとき、制動力の再調整が困難であった。
本発明は、このような従来の課題に着目してなされたもので、簡易で省スペースな構成であると共に、制動力の調整，再調整を容易に行えるようにした回転制動装置を提供することを目的とする。
【０００６】
【課題を解決するための手段】
このため請求項１に係る発明は、外筒と該外筒内に摺動回転自由に嵌挿された内筒とを、任意の相対回転位置で摩擦力で制動する回転制動装置において、前記内筒を外筒に嵌挿して位置決めした状態で、外筒の端面にリング状摺動部材を重合し、該摺動部材との間に弾性部材を介してリング状蓋部材を重合し、該蓋部材を内筒の端部にネジ手段によって前記弾性部材を圧縮させつつねじ込み、かつ前記摺動部材を前記外筒の端面との間で摺動自在に構成したことを特徴とする。
【０００７】
請求項１に係る発明によると、前記弾性部材に押圧された摺動部材が外筒の端面と摺動することにより、内筒と外筒とを相対回転させ、かつ、所定の回転位置で摺動面相互の摩擦力で制動される。そして、前記ネジ手段のねじ込み量を調整するだけで、摩擦力の調整，再調整を容易かつ精度良く行うことができる。
【０００８】
また、請求項２に係る発明は、
前記弾性部材は、Ｏリングであることを特徴とする。
請求項２に係る発明によると、
Ｏリングのゴムの撓みによって容易に弾性力を得ることができ、省スペース性も十分に満たすことができる。
【０００９】
また、請求項３に係る発明は、
前記弾性部材は、コイルスプリングであることを特徴とする。
請求項３に係る発明によると、
コイルスプリングの伸縮によって容易に弾性力を得ることができる。
また、請求項４に係る発明は、
前記ネジ手段は、前記蓋部材を貫通するおネジと、内筒端部に形成されためネジとの複数組で構成されることを特徴とする。
【００１０】
請求項４に係る発明によると、
蓋部材の端面から周方向等間隔に複数組のおネジとめネジとをねじ込むことにより、弾性部材の弾性力を調整できる。
また、請求項５に係る発明は、
前記ネジ手段は、前記蓋部材及び内筒の内外周面に形成されたおネジとめネジとで構成されることを特徴とする。
【００１１】
請求項５に係る発明によると、
蓋部材を内筒の端部にねじ込むだけで容易に弾性部材の弾性力を調整でき、複数本のネジを使用しないので、ねじ込み量のバラツキの問題を生じない。
また、請求項６に係る発明は、
外筒及び内筒の少なくとも一方に、光学系が介装されていることを特徴とする。
【００１２】
請求項６に係る発明によると、
光学系を介装した場合、外筒と内筒との軸方向位置にズレを生じると性能に影響が出るが、蓋部材のみがねじ込みにより移動し、外筒と内筒とは軸方向に位置決めされるので、性能に影響を与えずに済む。
また、請求項７に係る発明は、
外筒及び内筒は、カメラ本体に装着されるビューファインダの筐体と、該筐体に回転自由に装着されたアイピースであることを特徴とする。
【００１３】
請求項７に係る発明によると、
ビューファインダのアイピースの回転制動力の調整, 再調整を容易かつ高精度に行うことができる。
【００１４】
【発明の実施の形態】
以下に、本発明の実施の形態を図に基づいて説明する。
図１は、第１の実施の形態の構成を示す。筐体１は、図示しないカメラ本体の頂壁に固定され、該筐体１の図示右側の開口端部（外筒) 11にアイピース２の端部（内筒) 21が嵌挿され、アイピース２の前記端部21との段付面が筐体１の開口端部11の端面に突き当たる位置で、軸方向位置が位置決めされる。
【００１５】
前記筐体１の開口端部11の奥側端部は筐体１の内側に向かって屈曲したフランジ部12に形成される。前記フランジ部12の端面に樹脂材等で形成されたバックアップリング（摺動部材) 31を重合し、さらに、Ｏリング（弾性部材) 32を介して環状のエンドキャップ（蓋部材) 33を重合し、該エンドキャップ33の筐体１内部側から複数本（４本程度) のおネジ（ビス) 34を、エンドキャップ33を貫通してアイピース２の端部21に形成された複数の対応するめネジ22にねじ込む。なお、エンドキャップ33にはＯリング32を係合する溝33ａが形成されている。
【００１６】
これら複数本のおネジ34のねじ込みによってＯリング32が圧縮され、ねじ込み量を調整することにより、Ｏリング32の圧縮量が調整され、バックアップリング31とフランジ部12端面との間で摺動しつつ適度な回転力で回転すると共に、適度な制動力で任意の回転位置に固定することができる。
そして、前記バックアップリング31が経年変化により摩耗したりして制動力が変化したような場合でも、おネジをねじ込むことにより、Ｏリングの圧縮量を大きくして制動力を再調整することができる。
【００１７】
このように、おネジのねじ込み量を調整するだけで、制動力を容易に調整，再調整することができる。なお、摺動面を回転面と平行な平面に設定しているので、円筒周面を摺動面とする方式のように別途軸方向の位置規制手段を設ける必要がなく、省スペースともなる。
図２は、本発明の第２の実施の形態を示し、第１の実施の形態と異なる部分のみ説明すると、前記複数組のおネジとめネジを設ける代わりに、エンドキャップ33の内周面にめネジ35を形成し、アイピース２の端部21をエンドキャップ33内側方向に延長し、該延長部の外周面におネジ23を形成し、前記エンドキャップ33のめネジ35をアイピース２のおネジ23にねじ込むことにより、Ｏリング32の圧縮量ひいては回転制動力を調整する構成としたものである。逆にエンドキャップの端部をアイピース側に延長し、該延長部の外周面におネジを形成し、アイピースの端部内周面にめネジを形成して、これらをねじ込む構成としてもよい。
【００１８】
このようにすれば、１回のねじ込み操作を行うだけでよく、複数本のネジを使用しないのでねじ込み量のバラツキの問題を生じることがなく、Ｏリング32を周方向に均一に圧縮させることができる。
図３は、本発明の第３の実施の形態を示し、第１の実施の形態と異なる部分のみ説明すると、Ｏリングの代わりにコイルスプリング41を設けたものである。コイルスプリング41も圧縮により弾性力が得られ、かつ、ねじ込み量に比例した弾性力が得られる。
【００１９】
なお、本実施の形態でも、前記第２の実施の形態と同様のネジ手段としてもよいことは勿論である。
図４は、これら本発明に係る回転制動装置を備えたＶＦをカメラ本体51に装着したときの外観を示す。
【図面の簡単な説明】
【図１】本発明の第１の実施の形態に係るＶＦの一部断面図。
【図２】本発明の第２の実施の形態に係るＶＦの一部断面図。
【図３】本発明の第３の実施の形態に係るＶＦの一部断面図。
【図４】同上の各ＶＦをカメラ本体に装着したときの外観を示す図。
【図５】従来のＶＦの回転制動機構の例を示す図。
【符号の説明】
１      筐体
２      アイピース
11      開口端部
12      フランジ部
21      端部
22      めネジ
23      おネジ
31      バックアップリング
32      Ｏリング
33      エンドキャップ
34      おネジ
35      めネジ
41      コイルスプリング
【図１】
0003910284.tif 000002
【図２】
0003910284.tif 000003
【図３】
0003910284.tif 000004
【図４】
0003910284.tif 000005
【図５】
0003910284.tif 000006